(57)【要約】【課題】簡単に積み重ねられて、積み重ねられた上下の包装箱がずれることのない包装箱を提供する。【解決手段】底面板１と、底面板の周縁部より立ち上がる壁面板１、２、３、４を有し、壁面板の内の後壁面板３に天面板６を連設させ、前壁面板２に上方に突き出た係止片１０、１０を、それぞれ前壁面板の左右端部寄りのみに設け、底面板に貫通孔あるいは切れ込みからなる係止部９、９を設け、包装箱同士を積み重ねたときに、係止片を係止部に差し込んで係止させる。【選択図】図２
2015101407.tif 000002
【特許請求の範囲】
【請求項１】
底面板と、底面板の周縁部より立ち上がる壁面板を有し、前記壁面板の内の後壁面板に天面板を連設させた包装箱であって、
前記後壁面板以外の１つの壁面板に上方に突き出た係止片を設け、前記底面板に貫通孔あるいは切れ込みからなる係止部を設け、包装箱同士を積み重ねたときに、前記係止片を前記係止部に差し込んで係止できることを特徴とする包装箱。
【請求項２】
前記係止片が複数設けられ、それに対応して前記係止部が複数設けられていることを特徴とする請求項１に記載の包装箱。
【請求項３】
前記係止片が壁面板の左右端部寄りのみに設けられていることを特徴とする請求項１または２に記載の包装箱。
【請求項４】
前記係止片を設けた壁面板が前壁面板であることを特徴とする請求項１から３のいずれか１項に記載の包装箱。
【請求項５】
前記天面板に差込片を連設させ、該差込片に貫通孔あるいは切れ込みからなる係合部を設け、前記前壁面板に係合爪を設け、前記差込片を前記前壁面板の内側に差し込んだときに、前記係合爪を前記係合部に差し込んで、前記差込片を前記前壁面板に係合できることを特徴とする請求項４に記載の包装箱。
【請求項６】
前記係合爪を前記係合部に差し込んだときに、前記係合爪の先端が前記天面板に当たるようにしたことを特徴とする請求項５に記載の包装箱。
【発明の詳細な説明】
【技術分野】
【０００１】
本発明は、包装箱に関するものである。特に積み重ねたときに、上下の包装箱がずれないように、係止機構を設けた包装箱に関するものである。
【背景技術】
【０００２】
ケーキやピザパイあるいはパンなどの食品類、あるいは非食品でも、包装箱に収納されるものが多くある。これらの商品の収納された包装箱は、流通でのトラック輸送や、店舗から消費者に配達、あるいは消費者が持ち帰る際に、積み重ねられて運ばれることがしばしばある。このように運ばれる場合に積み重ねた状態で、ずれにくくした包装箱が開発されている。
【０００３】
例えば、包装箱の左右両壁面板の上辺部に、先端部が基部よりも幅の狭いほぼ梯形状をした突起を形成するともに、下辺部に前記突起に見合った大きさで、かつ容器の積み重ね時に突起が嵌合する切欠を設けた、積み重ねのずれを防止する構造を有する包装箱がある（特許文献１）。
【０００４】
このずれを防止する構造を有する包装箱では、左右両壁面板に突起と切欠を設けて、ずれを防止しているので、積み重ねるときに、上下の包装箱のそれぞれの左右両壁面板の位置を合わせて、垂直方向に移動させて積み重ねる必要があり、積み重ねるのに手間が掛かった。
【０００５】
公知文献を以下に示す。
【先行技術文献】
【特許文献】
【０００６】
【特許文献１】実開平２−１４８９３６号公報
【発明の概要】
【発明が解決しようとする課題】
【０００７】
本発明は上記した事情に鑑みてなされたもので、簡単に積み重ねられて、積み重ねられた上下の包装箱がずれることのない包装箱を提供することを課題としている。
【課題を解決するための手段】
【０００８】
本発明は係る課題に鑑みなされたものであり、請求項１の発明は、底面板と、底面板の周縁部より立ち上がる壁面板を有し、前記壁面板の内の後壁面板に天面板を連設させた包装箱であって、
前記後壁面板以外の１つの壁面板に上方に突き出た係止片を設け、前記底面板に貫通孔あるいは切れ込みからなる係止部を設け、包装箱同士を積み重ねたときに、前記係止片を前記係止部に差し込んで係止できることを特徴とする包装箱である。
【０００９】
本発明の包装袋は、以上のような構成であって、１つの壁面板に上方に突き出た係止片を設けて、底面板の係止部に係止するので、簡単に係止片を係止部に差し込んで積み重ねることができ、積み重ねられた上下の包装箱がずれることがない。
【００１０】
本発明の請求項２の発明は、前記係止片が複数設けられ、それに対応して前記係止部が複数設けられていることを特徴とする請求項１の包装箱である。
【００１１】
本発明は、係止片が複数設けられ、複数設けられた係止部に差し込んで係止するので、積み重ねられた上下の包装箱が、ねじれたりすることもなく、安定して係止することができる。
【００１２】
本発明の請求項３の発明は、前記係止片が壁面板の左右端部寄りのみに設けられていることを特徴とする請求項１または２に記載の包装箱である。
【００１３】
本発明は、係止片が壁面板の左右端部寄りのみに設けられているので、ピザパイやホールケーキのような円盤状あるいは円筒状などの内容物を入れたときに、係止片や係止部が内容物に当たることがないので、係止片や係止部のための余分なスペースを設ける必要がない。
【００１４】
本発明の請求項４の発明は、前記係止片を設けた壁面板が前壁面板であることを特徴とする請求項１から３のいずれか１項に記載の包装箱である。
【００１５】
本発明は、前壁面板に係止片を設けているので、前壁面板を見えるように持って積み重ねれば、係止片を係止部に差し込まれる様子が観察しやすく、操作性が更に良好となる。また、店舗で陳列するときに、積み重ねても上段の包装箱の前壁面板に設けた係止片がＰＯＰの役割を果たすことができるので、美粧な表面加飾を施してアイキャッチ効果を得ることができる。
【００１６】
本発明の請求項５の発明は、前記天面板に差込片を連設させ、該差込片に貫通孔あるいは切れ込みからなる係合部を設け、前記前壁面板に係合爪を設け、前記差込片を前記前壁面板の内側に差し込んだときに、前記係合爪を前記係合部に差し込んで、前記差込片を前記前壁面板に係合できることを特徴とする請求項４に記載の包装箱である。
【００１７】
本発明は、天面板に差込片を連設させ、差込片に係合部を設け、前壁面板に設けた係合爪を差込片の係合部に差し込んで係合するようにしているので、蓋をした状態で係合して、簡易的にロックすることができる。
【００１８】
本発明の請求項６の発明は、前記係合爪を前記係合部に差し込んだときに、前記係合爪の先端が前記天面板に当たるようにしたことを特徴とする請求項５に記載の包装箱である。
【００１９】
本発明は、係合爪を係合部に差し込んだときに、係合爪の先端が天面板に当たるようになっているので、天面板を係合爪で支えることができ、天面板がつぶれて内容物をつぶすことがない。
【発明の効果】
【００２０】
本発明の包装箱は、簡単に積み重ねることができ、積み重ねられた上下の包装箱がずれることがない。
【図面の簡単な説明】
【００２１】
【図１】本発明の包装箱の一例の展開図である。
【図２】（ａ）本発明の包装箱の一例を模式的に上からの斜視で示した説明図である。（ｂ）本発明の包装箱の一例を模式的に下からの斜視で示した説明図である。
【図３】（ａ）本発明の包装箱の一例を模式的に平面で示した説明図である。（ｂ）本発明の包装箱の一例を模式的に正面で示した説明図である。（ｃ）本発明の包装箱の一例を模式的に右側面で示した説明図である。（ｄ）本発明の包装箱の一例を模式的に底面で示した説明図である。
【図４】本発明の包装箱の一例を積み重ねた状態を模式的に斜視で示した説明図である。
【発明を実施するための形態】
【００２２】
以下、本発明を実施するための形態につき説明する。
図１は、本発明の包装箱の一例の展開図である。（尚、包装箱の外側になる面から見た図である。）
本例の包装箱１００のブランク１０１は、図１の展開図に示すように、底面板１と、底面板１の前後にそれぞれ対向する前壁面板２と後壁面板３と、底面板１の左右にそれぞれ対向する右壁面板４と左壁面板５とからなる４つの壁面板を設け、底面板１の周縁部より立ち上がるようにしている。
【００２３】
後壁面板３には天面板６と差込片７を連設されている。そして、差込片７の左右中央には貫通孔からなる係止部８を設けている。係止部８は本例では貫通孔としているが、切れ込みとしても良い。また、底面板１の前壁面板２との境目もしくはその近傍には２つの係止部９、９が左右に設けられている。
【００２４】
また、積み重ねたときに、上部の包装箱の係止部９に差し込み係止し、ずれないようにするため、前壁面板２の先端部には、左右に２つの係止片１０、１０が突き出て設けられている。さらに、前壁面板２の左右中央部には、係合部８に差し込めるように係合爪１１が形成されている。
【００２５】
また、前壁面板２と後壁面板３のそれぞれの左右には、貼着片１２、１２、１２、１２が設けられていて、製函するときに、右壁面板４や左壁面板５に貼着して、包装箱を立体にするようになっている。
【００２６】
右壁面板４と左壁面板５には、製函後折り畳めるように、折り畳み用折罫１３、１３、１３、１３が設けられている。この折り畳み用折罫１３、１３、１３、１３を折ることによって、製函後も平坦に折り畳むことができ、スペースをとることなく、輸送や保管を行うことができるようになっている。
【００２７】
ブランク１０１から包装箱１００を製函するには、貼着板１２、１２、１２、１２をそれぞれ内方に折り、次に、前壁面板２、後壁面板３、右壁面板４、左壁面板５を、それぞれ、底面板１と垂直になるように立ち上げる。そして、右壁面板４、左壁面板５の内面に貼着板１２、１２、１２、１２を貼着する。
【００２８】
これにより、包装箱１００の身の部分が製函される。そして、天面板６を底面板１の上方に倒し、差込片７を前壁面板２の内側に差し込み、係合爪１１を差込片７に設けられた係合部８に差し込んで、包装箱１００が製造される。
【００２９】
包装箱１００の身の部分を製函後、内容物を充填する前に、保管や輸送する場合は、折り畳み用折罫１３、１３、１３、１３を内方に押し込んで折り、身の部分をつぶし、平坦にすることができる。この平坦な状態で保管や輸送を行うと、スペースをとることなく、便利でコスト的に有利である。
【００３０】
図２（ａ）は、本発明の包装箱の一例を模式的に上からの斜視で示した説明図である。（ｂ）は、本発明の包装箱の一例を模式的に下からの斜視で示した説明図である。
図３（ａ）は、本発明の包装箱の一例を模式的に平面で示した説明図である。（ｂ）は、本発明の包装箱の一例を模式的に正面で示した説明図である。（ｃ）は、本発明の包装箱の一例を模式的に右側面で示した説明図である。（ｄ）は、本発明の包装箱の一例を模式的に底面で示した説明図である。
図４は、本発明の包装箱の一例を積み重ねた状態を模式的に斜視で示した説明図である。
【００３１】
本例の包装箱１００は、底面板１の周縁部より、前後にそれぞれ対向する前壁面板２と後壁面板３と、底面板１の左右にそれぞれ対向する右壁面板４と左壁面板５とからなる４つの壁面板が立ち上がって設けられている。
【００３２】
前壁面板２には上方に突き出た係止片１０、１０が設けられていて、底面板１には係止部９、９が設けられ、図４のように、包装箱１００同士を積み重ねたとき、下側の包装箱１００の係止片１０、１０を、上側の包装箱１００の係止部９、９に差し込んで係止する。
【００３３】
係止片１０、１０は前壁面板２にのみ設けられているので、係止するときに見やすく、簡単に係止片１０、１０を係止部９、９に差し込んで係止させて積み重ねることができ、積み重ねられた上下の包装箱１００がずれることがない。また、係止部９と係止片１０をそれぞれ２つ設けているので、係止したときに、積み重ねられた上下の包装箱が、ねじれたりすることもなく、安定して係止することができる。
【００３４】
また、２つの係止片１０は前壁面板２の左右端部寄りに設けられている。このため、ピザパイやホールケーキのような円盤状あるいは円筒状などの内容物を収納して、包装箱を積み重ねても、係止片１０は、箱の前側の隅に差し込まれるので、内容物に係止片１０が触れることもなく内容物を傷つける心配がなく、また、係止片１０や係止部９のための余分なスペースを設けるも必要がない。
【００３５】
また、後壁面板３には、天面板６と差込片７が連設されている。天面板６を底面板１の上に倒して差込片７を前壁面板２の内側に差し込んで蓋をしている。さらに、差込片７の左右中央には貫通孔からなる係合部８を設けている。係合部８は本例では貫通孔としているが、切れ込みとしても良い。
【００３６】
そして、この係合部８を、前壁面板２の左右中央に設けられた係合爪１１に差し込んで、係合している。このようにして蓋をした状態で簡単にロックすることができる。また、係合爪１１を係合部８に差し込むと、図３（ｂ）に点線で示したように、係合爪１１の先端は天面板６に接するようになり、天面板６を係合爪１１で支えることができる。
【００３７】
以上のように、本発明の包装箱は、簡単に係止片を係止部に差し込んで積み重ねることができ、積み重ねられた上下の包装箱がずれることがない。また、１つの壁面板に係止片に設けても、係止片を２つ以上複数設ければ、ねじれなどに対する抵抗性が上がり、安定して係止することができる。この場合でも、積み重ねるときに１つの壁面板に係止片が設けられているので見やすく、容易に係止片を係止部に差し込み係止することができる。
【００３８】
更には、ピザパイやホールケーキのような円盤状あるいは円筒状などの内容物を収納する場合、係止片を壁面板の左右端部寄りのみに設ければ、内容物に係止片が当たることがなく、係止片を差し込むための余分なスペースを設ける必要がない。
【００３９】
また、係止片を前壁面板に設ければ、係止片を係止部に差し込む様子が観察しやすく、積み重ねやすい。そして、店舗で陳列するときに、積み重ねても上段の包装箱の前壁面板に設けた係止片がＰＯＰの役割を果たし、アイキャッチ効果を得ることができる。
【００４０】
さらに、差込片に係合部を設け、前壁面板に設けた係合爪を差込片の係合部に差し込んで係合するようにすれば、蓋をした状態で係合して、簡易的にロックすることができる。また、係合爪を係合部に差し込んだときに、係合爪の先端が天面板に当たるようすれば、
天面板を係合爪で支えることができ、天面板がつぶれて内容物をつぶすことがない。
【符号の説明】
【００４１】
１００・・・包装箱
１０１・・・ブランク
１・・・底面板
２・・・前壁面板
３・・・後壁面板
４・・・右壁面板
５・・・左壁面板
６・・・天面板
７・・・差込片
８・・・係止部
９、９・・・係止部
１０、１０・・・係止片
１１・・・係合爪
１２、１２、１２、１２・・・貼着片
１３、１３、１３、１３・・・折り畳み用折罫
【図１】
2015101407.tif 000003
【図２】
2015101407.tif 000004
【図３】
2015101407.tif 000005
【図４】
2015101407.tif 000006